(57)【要約】【課題】妨害信号の影響を排除して最適な自動利得調整を行うことができる受信装置を提供すること。【解決手段】目的信号を含む広い帯域を通過させる高周波増幅部２２の出力で第１の検出器２８により信号レベルを検出する。同時に、目的信号のみを通過させる狭い帯域の中間周波数増幅部２４の出力で第２の検出器２９により信号レベルを検出する。この第１の検出器２８と第２の検出器２９の出力レベルの差分から妨害信号の存在を制御回路３０により検知し、検知した状況に応じて制御回路３０により高周波増幅部２２及び中間周波数増幅部２４の利得を制御する。【選択図】      図１
2009027456.tif 000002
【特許請求の範囲】
【請求項１】
目的信号を含む広い帯域を通過させ若しくは帯域制限をしない利得可変が可能な高周波増幅部と、
前記高周波増幅部の出力を中間周波数に変換する周波数変換部と、
目的信号のみを通過させる狭い帯域を有し、前記周波数変換部の出力を増幅する利得可変が可能な中間周波数増幅部と、
前記高周波増幅部の出力の一部を分岐し信号強度を検出する第１の検出器と、
前記中間周波数増幅部の出力の一部を分岐し信号強度を検出する第２の検出器と、
前記第１の検出器と前記第２の検出器の出力を比較しその差分と前記第１の検出器又は前記第２の検出器の出力に応じて前記高周波増幅部及び前記中間周波数増幅部の利得を制御する制御回路と
を具備することを特徴とする受信装置。
【請求項２】
目的信号を含む広い帯域を通過させ若しくは帯域制限をしない利得可変が可能な高周波増幅部と、
前記高周波増幅部の出力を検波する検波部と、
目的信号のみを通過させる狭い帯域を有し、前記検波部の出力を増幅する利得可変が可能なベースバンド増幅部と、
前記高周波増幅部の出力の一部を分岐し信号強度を検出する第１の検出器と、
前記ベースバンド増幅部の出力の一部を分岐し信号強度を検出する第２の検出器と、
前記第１の検出器と前記第２の検出器の出力を比較しその差分と前記第１の検出器又は前記第２の検出器の出力に応じて前記高周波増幅部及び前記ベースバンド増幅部の利得を制御する制御回路と
を具備することを特徴とする受信装置。
【請求項３】
前記制御回路は、前記利得に加えて前記高周波増幅部及び前記中間周波数増幅部又はベースバンド増幅部のバイアス電圧を制御することを特徴とする請求項１または２に記載の受信装置。
【請求項４】
前記制御回路は、前記第２の検出器の出力が規定値以上か判断し、規定値以上のときは前記高周波増幅部及び前記中間周波数増幅部又はベースバンド増幅部を通常モードに設定し、規定値未満のときは前記第１の検出器と前記第２の検出器の出力差が規定値以上か判断し、規定値以上であれば前記高周波増幅部及び前記中間周波数増幅部又はベースバンド増幅部を大入力妨害対応モードに設定し、規定値未満であれば前記高周波増幅部及び前記中間周波数増幅部又はベースバンド増幅部を省電力モードに設定することを特徴とする請求項３に記載の受信装置。
【請求項５】
前記省電力モードでは、前記高周波増幅部及び前記中間周波数増幅部又はベースバンド増幅部のバイアス電圧を低く設定するとともに、前記第２の検出器又は前記第１の検出器の出力に応じて前記高周波増幅部及び前記中間周波数増幅部又はベースバンド増幅部の利得を制御し、
前記大入力妨害対応モードでは、前記高周波増幅部に対しては利得を下げ過ぎないように利得可変制限を設けるとともに、前記第２の検出器の出力に応じて前記中間周波数増幅部又はベースバンド増幅部の利得を制御し、バイアス電圧については前記高周波増幅部及び前記中間周波数増幅部又はベースバンド増幅部とも高く設定し、
前記通常モードでは、前記第２の検出器の出力に応じて前記高周波増幅部及び前記中間周波数増幅部又はベースバンド増幅部の利得を制御するとともに、バイアス電圧については、前記高周波増幅部及び前記中間周波数増幅部又はベースバンド増幅部とも、前記省電力モードよりは高く、前記大入力妨害対応モードよりは低く設定する
ことを特徴とする請求項４に記載の受信装置。
【発明の詳細な説明】
【技術分野】
【０００１】
本発明は、受信装置に関する。
【背景技術】
【０００２】
近年、電波の有効利用のため、限られた周波数に多数の通信・放送が行われている。したがって、妨害となる目的外の信号の送信アンテナ直下で、低いレベルの目的信号の受信を受信機で行う場合、通常受信機においては例えば特許文献１に示されるように自動利得調整回路が設けられているが、この自動利得調整回路が正常に働かなくなり、利得を下げすぎたり、逆に上げすぎたりして目的信号が受信できなくなる問題があった。
【特許文献１】特開平８−３４０２６８号公報
【０００３】
図８及び図９は、従来のヘテロダイン方式の受信機の一例である。この受信機は、アンテナ１１で受信された信号を増幅する高周波増幅部１２と、この高周波増幅部１２の出力を中間周波数に変換する周波数変換部１３と、この周波数変換部１３の出力を増幅する中間周波数増幅部１４と、この中間周波数増幅部１４の出力を復調する復調部１５と、この復調部１５の出力を増幅する低周波増幅部１６と、この低周波増幅部１６の出力を音声に変換するスピーカ１７とを含む。
【０００４】
また、図８においては、高周波増幅部１２の出力を検出して、高周波増幅部１２の利得を制御する検出器１８が自動利得調整回路として設けられており、図９においては、中間周波数増幅部１４の出力を検出して、高周波増幅部１２の利得を制御する検出器１９が自動利得調整回路として設けられている。
【発明の開示】
【発明が解決しようとする課題】
【０００５】
しかし、これらの受信機の自動利得調整回路はアンテナ入力された信号のレベルで制御されており、目的信号のみか妨害信号を含む信号か判別されずに制御されている。したがって、目的信号より非常に大きい妨害信号が含まれていた場合、図８の構成では妨害信号により高周波増幅部１２の利得が大きく抑えられ目的信号が復調できなくなる。また、図９の構成では、妨害信号が含まれていても中間周波数増幅部出力には狭帯域のフィルタにより目的信号以外はカットされるため、低いレベルの目的信号により高周波増幅部１２の利得を大きく増加させる。これにより高周波増幅部１２は高いレベルの妨害信号により飽和し、感度劣化を起こす問題があった。
【０００６】
本発明は上記の点に鑑みなされたもので、目的信号以外の異なった周波数の不要な強い妨害信号が存在する場合に、その影響を排除して最適な自動利得調整を行うことができ、より良い受信が行える受信装置を提供することを目的とする。
【課題を解決するための手段】
【０００７】
本発明の第１の受信装置は、目的信号を含む広い帯域を通過させ若しくは帯域制限をしない利得可変が可能な高周波増幅部と、前記高周波増幅部の出力を中間周波数に変換する周波数変換部と、目的信号のみを通過させる狭い帯域を有し、前記周波数変換部の出力を増幅する利得可変が可能な中間周波数増幅部と、前記高周波増幅部の出力の一部を分岐し信号強度を検出する第１の検出器と、前記中間周波数増幅部の出力の一部を分岐し信号強度を検出する第２の検出器と、前記第１の検出器と前記第２の検出器の出力を比較しその差分と前記第１の検出器又は前記第２の検出器の出力に応じて前記高周波増幅部及び前記中間周波数増幅部の利得を制御する制御回路とを具備することを特徴とする。
【０００８】
本発明の第２の受信装置は、目的信号を含む広い帯域を通過させ若しくは帯域制限をしない利得可変が可能な高周波増幅部と、前記高周波増幅部の出力を検波する検波部と、目的信号のみを通過させる狭い帯域を有し、前記検波部の出力を増幅する利得可変が可能なベースバンド増幅部と、前記高周波増幅部の出力の一部を分岐し信号強度を検出する第１の検出器と、前記ベースバンド増幅部の出力の一部を分岐し信号強度を検出する第２の検出器と、前記第１の検出器と前記第２の検出器の出力を比較しその差分と前記第１の検出器又は前記第２の検出器の出力に応じて前記高周波増幅部及び前記ベースバンド増幅部の利得を制御する制御回路とを具備することを特徴とする。
【０００９】
上記受信装置において、前記制御回路は、前記利得に加えて前記高周波増幅部及び前記中間周波数増幅部又はベースバンド増幅部のバイアス電圧を制御することが好ましい。
【００１０】
その場合、前記制御回路は、前記第２の検出器の出力が規定値以上か判断し、規定値以上のときは前記高周波増幅部及び前記中間周波数増幅部又はベースバンド増幅部を通常モードに設定し、規定値未満のときは前記第１の検出器と前記第２の検出器の出力差が規定値以上か判断し、規定値以上であれば前記高周波増幅部及び前記中間周波数増幅部又はベースバンド増幅部を大入力妨害対応モードに設定し、規定値未満であれば前記高周波増幅部及び前記中間周波数増幅部又はベースバンド増幅部を省電力モードに設定することができる。
【００１１】
さらに、前記省電力モードでは、前記高周波増幅部及び前記中間周波数増幅部又はベースバンド増幅部のバイアス電圧を低く設定するとともに、前記第２の検出器又は前記第１の検出器の出力に応じて前記高周波増幅部及び前記中間周波数増幅部又はベースバンド増幅部の利得を制御し、前記大入力妨害対応モードでは、前記高周波増幅部に対しては利得を下げ過ぎないように利得可変制限を設けるとともに、前記第２の検出器の出力に応じて前記中間周波数増幅部又はベースバンド増幅部の利得を制御し、バイアス電圧については前記高周波増幅部及び前記中間周波数増幅部又はベースバンド増幅部とも高く設定し、前記通常モードでは、前記第２の検出器の出力に応じて前記高周波増幅部及び前記中間周波数増幅部又はベースバンド増幅部の利得を制御するとともに、バイアス電圧については、前記高周波増幅部及び前記中間周波数増幅部又はベースバンド増幅部とも、前記省電力モードよりは高く、前記大入力妨害対応モードよりは低く設定することが好ましい。
【発明の効果】
【００１２】
上記のような本発明の受信装置は、目的信号以外の異なった周波数の不要な強い信号の存在を検知し、その状況に応じて最適な利得調整を行うようになるから、目的信号以外の異なった周波数の不要な強い妨害信号が存在しても、その影響を排除して最適な自動利得調整を行うことができ、より良い受信が可能となる。
【発明を実施するための最良の形態】
【００１３】
次に添付図面を参照して本発明の実施形態を詳細に説明する。図１は本発明の第１実施形態の受信装置（以下、受信機と言う）を示す構成図である。この受信機は、目的信号を含む広い帯域を通過させるバンドパスフィルタ２２１と目的信号を増幅し利得可変可能な高周波増幅器２２２からなり、アンテナ２１で受信された信号を増幅する高周波増幅部２２と、この高周波増幅部２２の出力を中間周波数に変換するための周波数変換器２３１と局部発振器２３２からなる周波数変換部２３と、この周波数変換部２３の出力を増幅する中間周波数増幅部で、目的信号のみを通過させる狭い帯域のバンドパスフィルタ２４１と目的信号のみを増幅し利得可変可能な中間周波数増幅器２４２からなる中間周波数増幅部２４と、この中間周波数増幅部２４の出力を復調する復調部２５と、この復調部２５の出力を増幅する低周波増幅部２６と、この低周波増幅部２６の出力を音声に変換するスピーカ２７とを含む。
【００１４】
さらに、図１の受信機は、前記高周波増幅部２２の出力の一部を分岐し信号強度を検出する第１の検出器２８と、前記中間周波数増幅部２４の出力の一部を分岐し信号強度を検出する第２の検出器２９と、前記第１の検出器２８と前記第２の検出器２９の出力を比較しその差分と前記第１の検出器２８又は前記第２の検出器２９の出力に応じて前記高周波増幅器２２２及び前記中間周波数増幅器２４２の利得及びバイアス電圧の制御を行う制御回路３０とを含む。
【００１５】
図２は、制御回路３０の詳細回路例で、マイクロコンピュータ３０１、第１Ａ／Ｄ変換器３０２、第２Ａ／Ｄ変換器３０３、第１Ｄ／Ａ変換器３０４、第２Ｄ／Ａ変換器３０５、第３Ｄ／Ａ変換器３０６、及び第４Ｄ／Ａ変換器３０７で構成される。第１Ａ／Ｄ変換器３０２は、第１の検出器２８の出力レベルをＡ／Ｄ変換してマイクロコンピュータ３０１に供給する。第２Ａ／Ｄ変換器３０３は、第２の検出器２９の出力レベルをＡ／Ｄ変換してマイクロコンピュータ３０１に供給する。マイクロコンピュータ３０１は、第１、第２Ａ／Ｄ変換器３０２，３０３を介して供給された第１の検出器２８の出力レベルと第２の検出器２９の出力レベルとを比較してその差分と第１の検出器２８又は第２の検出器２９の出力レベルに応じて高周波増幅器２２２及び中間周波数増幅器２４２の利得及びバイアス電圧の制御を行う利得制御信号及びバイアス制御電圧を出力する。第１Ｄ／Ａ変換器３０４は、マイクロコンピュータ３０１から出力された高周波増幅器２２２のバイアス制御電圧（これを以下、ＢＩＡＳ１と言う）をＤ／Ａ変換して高周波増幅器２２２に供給する。第２Ｄ／Ａ変換器３０５は、マイクロコンピュータ３０１から出力された高周波増幅器２２２の利得制御信号（これを以下、ＡＧＣ１と言う）をＤ／Ａ変換して高周波増幅器２２２に供給する。第３Ｄ／Ａ変換器３０６は、マイクロコンピュータ３０１から出力された中間周波数増幅器２４２の利得制御信号（これを以下、ＡＧＣ２と言う）をＤ／Ａ変換して中間周波数増幅器２４２に供給する。第４Ｄ／Ａ変換器３０７は、マイクロコンピュータ３０１から出力された中間周波数増幅器２４２のバイアス制御電圧（これを以下、ＢＩＡＳ２と言う）をＤ／Ａ変換して中間周波数増幅器２４２に供給する。
【００１６】
図３は、高周波増幅器２２２及び中間周波数増幅器２４２として使用される利得可変可能な増幅器の一具体例を示す。この増幅器は、ｎチャネルデュアルゲートＦＥＴ３１１で構成されており、入力端子３１２に供給された入力信号がコンデンサ３１３を介してＦＥＴ３１１の第１ゲートに供給される。そして、ＦＥＴ３１１のドレインからコンデンサ３１４を介して出力端子３１５に出力信号が出力される。ＦＥＴ３１１のドレインは高周波コイル３１６を介して電源端子３１７に接続され、電源端子３１７はコンデンサ３１８を介して接地される。ＦＥＴ３１１のソースは抵抗３１９とコンデンサ３２０を並列に介して接地される。また、ＦＥＴ３１１の前記第１ゲートは抵抗３２１を介してバイアス入力端子３２２に接続され、このバイアス入力端子３２２はコンデンサ３２３を介して接地される。このバイアス入力端子３２２に図２の制御回路３０からバイアス制御電圧が供給されて第１ゲート電圧が制御されることにより、ＦＥＴ３１１（増幅器）のバイアス電圧が制御される。一方、ＦＥＴ３１１の第２ゲートは、抵抗３２４を介して接地されるとともに、抵抗３２５を介して利得制御入力端子３２６に接続される。この利得制御入力端子３２６に図２の制御回路３０から利得制御信号が供給されて第２ゲート電圧が制御され、ＦＥＴ３１１の相互コンダクタンスが変化することにより、ＦＥＴ３１１（増幅器）の利得が制御される。
【００１７】
ここで、増幅器のバイアス電圧制御は、ＦＥＴ３１１のドレイン電流を少なくして省電力化を図ることを目的とする。このバイアス電圧制御を実施すると、増幅器の利得が多少変わるが、出力端子３１５から第１又は第２の検出器２８，２９、制御回路３０、利得制御入力端子３２６、ＦＥＴ３１１を介して出力端子３１５に戻る閉ループが構成されるので、利得は、利得制御入力端子３２６に供給される利得制御信号により決定され、ドレイン電流もバイアス電圧制御を行わない場合よりは少なくなり、省電力化が図られる。
【００１８】
図４は、第１の検出器２８及び第２の検出器２９として使用される検出器の一具体例を示す図で、入力端子３３１にカソードが接続され、アノードが接地された第１ダイオード３３２と、入力端子３３１にアノードが接続され、カソードが出力端子３３３に接続された第２ダイオード３３４と、出力端子３３３と接地間に接続されたコンデンサ３３５とで構成される。
【００１９】
さて、図１の受信機では、アンテナ２１で受信された信号が高周波増幅部２２で高周波増幅された後、周波数変換部２３で中間周波数に変換され、中間周波数増幅部２４で中間周波数増幅されるが、このとき、高周波増幅部２２の出力と中間周波数増幅部２４の出力で第１の検出器２８と第２の検出器２９により信号レベルの検出が行われる。このとき、第２の検出器２９の検出レベルは、目的信号のみを通過させる狭い帯域のバンドパスフィルタ２４１を中間周波数増幅部２４に使用しているため、目的信号のみの信号レベルを示す。一方、第１の検出器２８の検出レベルは、目的信号を含む広い帯域を通過させるバンドパスフィルタ２２１を高周波増幅部２２に使用しているため、目的信号以外の異なった周波数の不要な強い妨害信号が存在すると、その妨害信号も含んだ信号レベルとなる。したがって、例えば妨害信号の無い目的信号のみを入力したときに、第１の検出器２８と第２の検出器２９の出力レベルが同じになるように設定した場合、第１の検出器２８と第２の検出器２９の出力レベルの差分が妨害信号のレベルになり、妨害信号の存在を制御回路３０で検知することができる。そして、図１の受信機では、検知した妨害信号の状況に応じて制御回路３０から利得制御信号が出力されて、高周波増幅器２２２及び中間周波数増幅器２４２に対して最適な利得調整が制御回路３０により行われるようになり、その結果、目的信号以外の異なった周波数の不要な強い妨害信号が存在しても、その影響を排除して最適な自動利得調整を行うことができ、より良い受信が可能となる。同時に図１の受信機では、第１の検出器２８と第２の検出器２９からの受信レベルに応じて最適なバイアス制御電圧が制御回路３０から出力されて、高周波増幅器２２２及び中間周波数増幅器２４２に対して最適なバイアス電圧調整が行われるようになり、その結果、増幅器ひいては受信機の省電力化が図られるようになる。
【００２０】
図５は、制御回路３０により行われる制御の詳細を示す図である。この場合は、第１及び第２の検出器２８，２９からのレベルに応じて、高周波増幅器２２２及び中間周波数増幅器２４２の動作モードを省電力モード、大入力妨害対応モード、通常モードに切り替える。
【００２１】
省電力モードは、妨害信号が無く、目的信号レベルが非常に低い場合、すなわち、第１と第２の検出器２８，２９からのレベルに差がなく、第２の検出器２９からのレベルが非常に低い場合で、この場合は、高周波増幅器２２２及び中間周波数増幅器２４２で歪みを発生させる恐れは無いので、ＢＩＡＳ１及びＢＩＡＳ２を低く制御して、各増幅器２２２，２４２のバイアス電圧を通常より低く設定し動作させる。すなわち、省電力化を図る。一方、利得可変制限は無くして、第２の検出器２９又は第１の検出器２８からのレベルに応じてＡＧＣ１及びＡＧＣ２を発生させ、高周波増幅器２２２及び中間周波数増幅器２４２の利得を制御することにより目的信号レベルを高め、復調部２５で復調動作が良好に行われるようにする。
【００２２】
大入力妨害対応モードは、妨害信号が非常に高いレベルで、かつ目的信号レベルが非常に低い場合、すなわち、第１と第２の検出器２８，２９からのレベルの差が大きく、第２の検出器２９からのレベルが非常に低い場合である。この場合は、ＡＧＣ１のレベルを抑えて（すなわち、利得可変制限“有り”として）高周波増幅器２２２の利得を下げ過ぎないようにして高周波増幅部２２では目的信号のレベルを確保しつつ、第２の検出器２９からのレベルに応じて（すなわち、利得可変制限“無し”として）ＡＧＣ２を発生させて中間周波数増幅器２４２の利得を制御することにより目的信号レベルを所望のレベルまで高める。また、Ｂ１ＡＳ１及びＢ１ＡＳ２を高く設定して、高周波増幅器２２２及び中間周波数増幅器２４２のバイアス電圧を通常より高く設定することにより、歪みを発生させないようにする。
【００２３】
通常モードは、目的信号レベルが非常に低くない場合、すなわち、第２の検出器２９からのレベルが非常に低くない場合で、この場合は、利得可変制限はせず、第２の検出器２９からのレベルに応じてＡＧＣ１及びＡＧＣ２を発生させて、高周波増幅器２２２及び中間周波数増幅器２４２の利得を制御することにより目的信号レベルを所望のレベルとする。さらに、バイアス電圧については、省電力モードよりは高く、大入力妨害対応モードよりは低い通常状態にＢＩＡＳ１及びＢＩＡＳ２を発生させて、省電力モードよりは高く、大入力妨害対応モードよりは低い通常状態に高周波増幅器２２２及び中間周波数増幅器２４２のバイアス電圧を設定する。
【００２４】
図６は、上記モードを選択設定する際の制御回路３０の動作を示すフローチャートである。受信を開始すると、ステップＳ１で第１の検出器２８の出力レベルが測定され、さらにステップＳ２で第２の検出器２９の出力レベルが測定される。そして、ステップＳ３で第２の検出器２９の出力レベルが規定値以上か判断され、第２の検出器２９の出力レベルが規定値以上のときは、ステップＳ４に移って通常モードに設定する。一方、第２の検出器２９の出力レベルが規定値未満のときはステップＳ５に移って、第１の検出器２８と第２の検出器２９の出力レベル差が規定値以上か判断される。そして、出力レベル差が規定値以上であれば、ステップＳ６に移って大入力妨害対応モードに設定し、出力レベル差が規定値未満であれば、ステップＳ７に移って省電力モードに設定する。
【００２５】
図７は本発明の第２実施形態の受信機としてダイレクトコンバーション受信機を示す構成図である。この受信機は、目的信号を含む広い帯域を通過させるバンドパスフィルタ２２１と目的信号を増幅し利得可変可能な高周波増幅器２２２からなり、アンテナ２１で受信された信号を増幅する高周波増幅部２２と、この高周波増幅部２２の出力をベースバンドに変換するための検波器４１１と局部発振器４１２からなる検波部４１と、この検波部４１の出力を増幅するベースバンド増幅部で、目的信号のみを通過させる狭い帯域のローパスフィルタ４２１と目的信号のみを増幅し利得可変可能なベースバンド増幅器４２２からなるベースバンド増幅部４２と、このベースバンド増幅部４２の出力を復調する復調部２５と、この復調部２５の出力を増幅する低周波増幅部２６と、この低周波増幅部２６の出力を音声に変換するスピーカ２７とを含む。
【００２６】
さらに、図７の受信機は、前記高周波増幅部２２の出力の一部を分岐し信号強度を検出する第１の検出器２８と、前記ベースバンド増幅部４２の出力の一部を分岐し信号強度を検出する第２の検出器２９と、前記第１の検出器２８と前記第２の検出器２９の出力を比較しその差分と前記第１の検出器２８又は前記第２の検出器２９の出力に応じて前記高周波増幅器２２２及び前記ベースバンド増幅器４２２の利得及びバイアス電圧の制御を行う制御回路３０とを含む。
【００２７】
この図７の受信機でも、第１の検出器２８の出力は妨害信号も含んだ信号レベルとなり、第２の検出器２９の出力は目的信号のみの信号レベルを示すので、第１実施形態と全く同様に制御回路３０で制御することができる。制御の詳細は、第１実施形態の説明中の中間周波数増幅部２４、バンドパスフィルタ２４１、中間周波数増幅器２４２をベースバンド増幅部４２、ローパスフィルタ４２１、ベースバンド増幅器４２２と読み替えれば第１実施形態と同一であるから、説明は省略する。
【００２８】
そして、以上のような本発明の受信機によれば、目的信号以外の異なった周波数の不要な強い信号の存在を検知し、その状況に応じて最適な利得調整を行うようになるから、目的信号以外の異なった周波数の不要な強い妨害信号が存在しても、その影響を排除して最適な自動利得調整を行うことができ、より良い受信が可能となる。さらに、受信レベルにより増幅器のバイアス電圧制御を行うようにしたので、増幅器ひいては受信機の省電力化を図ることができる。
【００２９】
なお、上記の実施の形態では、目的信号を含む広い帯域を通過させるバンドパスフィルタ２２１を高周波増幅部２２に挿入したが、このバンドパスフィルタ２２１を除去して、高周波増幅部２２においては帯域制限をしないようにすることができる。
【図面の簡単な説明】
【００３０】
【図１】本発明の第１実施形態の受信機を示す構成図。
【図２】図１の受信機に使用される制御回路の詳細回路図。
【図３】図１の受信機の高周波増幅器及び中間周波数増幅器として使用される利得可変可能な増幅器の一具体例を示す回路図。
【図４】図１の受信機の第１の検出器及び第２の検出器として使用される検出器の一具体例を示す図。
【図５】図２の制御回路により行われる制御の詳細を示す図。
【図６】モードを選択設定する際の制御回路の動作を示すフローチャート。
【図７】本発明の第２実施形態の受信機を示す構成図。
【図８】従来のヘテロダイン方式の受信機の一例を示す構成図。
【図９】従来のヘテロダイン方式の受信機の他の例を示す構成図。
【符号の説明】
【００３１】
２２    高周波増幅部
２２１  バンドパスフィルタ
２２２  高周波増幅器
２３    周波数変換部
２４    中間周波数増幅部
２４１  バンドパスフィルタ
２４２  中間周波数増幅器
２８  第１の検出器
２９  第２の検出器
３０  制御回路
４１  検波部
４２  ベースバンド増幅部
【図１】
2009027456.tif 000003
【図２】
2009027456.tif 000004
【図３】
2009027456.tif 000005
【図４】
2009027456.tif 000006
【図５】
2009027456.tif 000007
【図６】
2009027456.tif 000008
【図７】
2009027456.tif 000009
【図８】
2009027456.tif 000010
【図９】
2009027456.tif 000011